(57)【要約】【課題】  バスダクトをラックに直接取り付けても分岐ボックスを無理なくダクトに取り付けできるラック列給電システムを提供する。【解決手段】  電子機器を収納したラック１を列設したラック列に対して、ラック列上部にバスダクト２を配設して各ラック１に電源供給するよう構成し、バスダクト２に収容されている導体バー６は、幅方向を縦に配置して複数の導体バー６が前後に重なるように配置されていると共に、ラック１の天板１ｃ上に直接固定されたバスダクト２は、ラック１内の電子機器に電源を供給する引き込み線を導体バー６に接続するための開口部２１を上面に備えている。【選択図】  図１
2019102544.tif 000002
【特許請求の範囲】
【請求項１】
電子機器を収納したラックを列設したラック列に対して、当該ラック列の上部に前記ラック列に沿って配設したバスダクトから、各ラック内の電子機器に電源供給するラック列給電システムであって、
前記バスダクトは前記ラックの天板上に直接固定されて、内部に電源線としての複数の導体バーが収容されており、
収容されている前記導体バーは幅方向が縦に配置され、複数の前記導体バーが前後に重なるように配置されており、
更に前記バスダクトは、上面に前記ラック内の電子機器に電源を供給する引き込み線を前記導体バーに接続するための開口部を備えていることを特徴とするラック列給電システム。
【請求項２】
電子機器を収納したラックを列設したラック列に対して、当該ラック列の上部に前記ラック列に沿って配設したバスダクトから、各ラック内の電子機器に電源供給するラック列給電システムであって、
前記バスダクトは前記ラックの背面に直接固定されて、内部に電源線としての複数の導体バーが収容されており、
収容されている前記導体バーは幅方向が前後方向に配置され、複数の前記導体バーが上下に重なるように配置されており、
更に前記バスダクトは、背面に前記ラック内の電子機器に電源を供給する引き込み線を前記導体バーに接続するための開口部を備えていることを特徴とするラック列給電システム。
【発明の詳細な説明】
【技術分野】
【０００１】
本発明は、サーバ等の電子機器を収納したラック列に電源を供給するラック列給電システムに関する。
【背景技術】
【０００２】
サーバを収納したラックが多数列設されたデータセンタ等では、バスダクトによる配電構造が普及している。バスダクトは、電源線である銅バー等からなる導体が内部に送通されたダクトであり、天井或いはラック上に配設されて、適宜部位から個々のラックに給電される。
例えば、特許文献１では、列設されたラックのそれぞれの天板上に固定部材を取り付け、この固定部材にバスダクトを固定してラック列方向に配設し、このバスダクトからそれぞれのラックに給電した。
【先行技術文献】
【特許文献】
【０００３】
【特許文献１】特開２０１５−２１６２６２号公報
【発明の概要】
【発明が解決しようとする課題】
【０００４】
上記特許文献１に記載されたラック上にバスダクトを固定した構成は、天井より十分低いラック天面上にダクトが取り付けられるため、取り付け作業は比較的容易であった。また、個々のラックに設けた固定部材にバスダクトが取り付けられているため、隣接するラック自体も固定部材を介して連結され、耐震性にすぐれた構造であった。
しかしながら、バスダクトを直接ラックに連結してもラック同士は連結されることになるため、耐震性に優れた構造を引き続き得ることができる。ただし、この場合ラックとバスダクトの間に空間が無くなるため、電源線を分岐する際に使用される分岐ボックスをバスダクトの側部に配置する特許文献１の構成のままでは難しかった。
【０００５】
そこで、本発明はこのような問題点に鑑み、バスダクトをラックに直接取り付けても分岐ボックスを無理なくダクトに取り付けできるラック列給電システムを提供することを目的としている。
【課題を解決するための手段】
【０００６】
上記課題を解決する為に、請求項１の発明は、電子機器を収納したラックを列設したラック列に対して、当該ラック列の上部にラック列に沿って配設したバスダクトから、各ラック内の電子機器に電源供給するラック列給電システムであって、バスダクトはラックの天板上に直接固定されて、内部に電源線としての複数の導体バーが収容されており、収容されている導体バーは幅方向が縦に配置され、複数の導体バーが前後に重なるように配置されており、更にバスダクトは、上面にラック内の電子機器に電源を供給する引き込み線を導体バーに接続するための開口部を備えていることを特徴とする。
この構成によれば、バスダクトはラックの天板上に直接取り付けられるため、介在させる部材が必要無い。それでいて、引き込み線を接続するための開口部はラックから離れたダクトの上面に設けられるため、バスダクトとラックとの間に空間が無くても分岐ボックス等の分岐機器を無理なくバスダクトに接続できる。
【０００７】
請求項２の発明は、電子機器を収納したラックを列設したラック列に対して、当該ラック列の上部にラック列に沿って配設したバスダクトから、各ラック内の電子機器に電源供給するラック列給電システムであって、バスダクトはラックの背面に直接固定されて、内部に電源線としての複数の導体バーが収容されており、収容されている導体バーは幅方向が前後方向に配置され、複数の導体バーが上下に重なるように配置されており、更にバスダクトは、背面にラック内の電子機器に電源を供給する引き込み線を導体バーに接続するための開口部を備えていることを特徴とする。
この構成によれば、バスダクトはラックの背面に直接取り付けられるため、介在させる部材が必要無い。それでいて、引き込み線を接続するための開口部はラックから離れたダクト背面に設けられるため、バスダクトとラックとの間に空間が無くても分岐ボックス等の分岐機器を無理なくバスダクトに接続できる。
【発明の効果】
【０００８】
本発明によれば、バスダクトはラックの天板上或いは背面に直接取り付けられるため、介在させる部材が必要無い。それでいて、引き込み線を接続するための開口部はラックから離れたダクトの上面或いは背面に設けられるため、バスダクトとラックとの間に空間が無くても分岐ボックス等の分岐機器を無理なくバスダクトに接続できる。
【図面の簡単な説明】
【０００９】
【図１】本発明に係るラック列給電システムの一例を示すラック列の斜視図である。
【図２】図１のラック列の正面図である。
【図３】図１のラック列の平面図である。
【図４】図１のラック列の右側面図である。
【図５】ラック列給電システムの他の形態を示すラック列の斜視図である。
【図６】図５のラック列の背面図である。
【図７】図５のラック列の平面図である。
【図８】図５のラック列の右側面図である。
【発明を実施するための形態】
【００１０】
以下、本発明を具体化した実施の形態を、図面を参照して詳細に説明する。図１〜４は本発明に係るラック列給電システムの一例を示すラック列の説明図であり、図１は斜視図、図２は正面図、図３は平面図、図４は右側面図である。各図において、１はサーバ等の電子機器を収納するラック、２は電源線を収容したバスダクト、３はバスダクト２から電源線を分岐するための分岐ボックスであり、ここで示しているラック列は４つのラック１を列設して構成されている。また、バスダクト２は２本配設され、電源線を２系統設けた構成を示している。
【００１１】
ラック１は、前面及び背面にそれぞれ扉（前面扉１ａ，背面扉１ｂ）を備え、前後から開閉可能に構成されている。そして、天板１ｃ、左右側板１ｄを備えてラック１は個々に閉塞できるよう構成されている。また、天板１ｃ上には電源をラック１内の電子機器に供給するための引き込み線（図示せず）を導入するための引き込み口９が開口形成されている。尚、収納されている電子機器に接続される通信線等は、ラック１の底部に設けられた開口部（図示せず）から引き込まれる。
【００１２】
バスダクト２は、金属製の四角形筒体から成るダクト２ａに電源線としての複数の導体バー６が収容されて構成され、ラック列の長さ（幅）に合わせた長さを有し、図１ではラック１の幅の４倍の長さを有している。また導体バー６は帯状の金属板から成り、幅方向を縦向きに配置してダクト２ａに収容され、複数の導体バー６が前後方向に重なるように配置され、収容されている。尚、ダクト２ａに収納された各導体バー６は、適宜部位が図示しない絶縁部材により支持されて接触しないよう配置され固定されている。
【００１３】
そして、ダクト２ａの上面にはラック１内への引き込み線を接続するための開口部２１が設けられている。ただし、開口部２１は蓋部材２２が取り付けられて塵等が入り込まないよう閉塞され、分岐ボックス３の装着操作によりダクト２ａ内に開いて分岐ボックス３が接続されるよう構成されている。 
【００１４】
分岐ボックス３は、内部に分岐ブレーカ（図示せず）が組み込まれており、下部にバスダクト２の導体バー６に接続するための電源線接続部３ａ（図４に示す）を有し、側部に引き込み線を接続するための端子３ｂを有している。この分岐ボックス３のバスダクト２への装着操作により、下方に突設された電源線接続部３ａが導体バー６に接続され、端子３ｂに接続された引き込み線が導体バー６に接続される。
【００１５】
このように構成されたバスダクト２は次のようにラック列に取り付けられて引き込み線が接続される。バスダクト２は、Ｌ字状に折り曲げ形成された連結金具７により適宜部位がラック１に連結される。
詳しくは、ラック１の天板１ｃ上に、開口部２１を上方に向けてラック列に沿って配置されたバスダクト２は、ラック１毎に連結金具７により連結される。それぞれのラック１の左右２カ所が連結金具７を使用してねじ止め固定される。こうして２本のバスダクト２が同様に固定される。
【００１６】
バスダクト２が固定されたら、分岐ボックス３が装着されて引き込み線が接続される。分岐ボックス３の電源線接続部３ａは、バスダクト２内の複数の導体バー６に合わせて設けられた速結端子から成り、バスダクト２に前後方向に並べて配設されている導電バー６に、上方から分岐ボックス３を押下操作すれば開口部２１に分岐ボックス３の電源線接続部３ａが挿入されて個々の導体バー６に連結される。
こうして装着された分岐ボックス３に対して、引き込み線を端子３ｂに接続すれば、ラック内の機器に電源が供給される。
【００１７】
このように、バスダクト２はラック１の天板１ｃ上に直接取り付けられるため、介在させる部材が必要無い。それでいて、引き込み線を接続するための開口部２１はラック１から離れたダクトの上面に設けられるため、バスダクト２とラック１との間に空間が無くても分岐ボックス３等の分岐機器を無理なくバスダクト２に接続できる。
【００１８】
図５〜８はラック列給電システムの他の構成を示し、図５は斜視図、図６は背面図、図７は平面図、図８は右側面図である。上記実施形態とは、バスダクト２の取り付け位置が異なっている。
以下、上記実施形態と同一の構成要素には同一の符号を付し、相違点を中心に説明する。ラック１の背面に設けられた背面扉１ｂは、上記図４に示す形態より小さく形成され、背面扉１ｂの上部には背面となる壁部１ｅが設けられ、この壁部１ｅにバスダクト２が取り付けられている。
【００１９】
バスダクト２は、上記形態のバスダクト２と同様の構造を有しているが、９０度回転してラック１の背面に取り付けられている。そのため、ラック１に対する導体バー６の配置が異なった形態となり、導体バー６は幅方向が水平（前後方向）に配置され、複数の導体バー６が上下に重なるように配設されている。
そして、ダクト２ａの背面に設けられた開口部２１に分岐ボックス３が装着され、引き込み線が分岐ボックス３を介して導体バー６に接続される。
【００２０】
バスダクト２は、上記形態と同様にＬ字状に形成された連結金具７を使用してラック１毎にねじ止めされ連結固定されている。
【００２１】
このように、バスダクト２はラック１の背面に直接取り付けられるため、介在させる部材が必要無い。それでいて、引き込み線を接続するための開口部２１はラック１から離れたダクト２ａの背面に設けられているため、バスダクト２とラック１との間に空間が無くても分岐ボックス３等の分岐機器を無理なくバスダクト２に接続できる。
また、分岐ボックス３はラック１の背部に設置されるため、天板１ｃ上に設置する構成に比べてメンテナンス等で操作し易い。
【００２２】
尚、バスダクト２をラック１の背面に設置した上記実施形態は、１系統のみの構成であるが、壁部１ｅの幅（高さ）を広げれば２系統設置することが可能となる。
【符号の説明】
【００２３】
１・・ラック、１ｃ・・天板、１ｅ・・壁部（背面）、２・・バスダクト、２ａ・・ダクト、３・・分岐ボックス、６・・導体バー、７・・連結金具。
【図１】
2019102544.tif 000003
【図２】
2019102544.tif 000004
【図３】
2019102544.tif 000005
【図４】
2019102544.tif 000006
【図５】
2019102544.tif 000007
【図６】
2019102544.tif 000008
【図７】
2019102544.tif 000009
【図８】
2019102544.tif 000010